(57)【要約】【課題】外観の品位が高く、耐衝撃性に優れた廉価なレンズ鏡筒を提供する。【解決手段】カバー部材２４の筒形状に形成された嵌合部２４ａから径方向内側に絞り込まれた内絞り部２４ｂを、筒部材２２の先端側の外周面上に形成した抜け止め構造に、はめ付ける取り付け構造を構成し、この抜け止め構造を、筒部材２２の先端側の開口周縁部の外周面上における単数又は複数箇所に、突条嵌合部２２ａを部分的に突設し、突条嵌合部２２ａの奥側に一段低い外周面で形成された逃げ凹部２２ｄを介して、突条である爪部２２ｂを平行に突設し、爪部２２ｂより奥側に、一段低い外周面で形成された逃がし用凹部２２hを形成して構成し、筒部材２２にカバー部材２４をはめ付けたときに、カバー部材２４の嵌合部２４ａの内周面が突条嵌合部２２ａに支持され、内絞り部２４ｂの内周面が爪部２２ｂに係止され、内絞り部２４ｂの自由端部が逃がし用凹部２２h内に入り込んだ係止状態で係止されるように構成する。【選択図】図４
2010191354.tif 000002
【特許請求の範囲】
【請求項１】
筒部材の一端側の開口部の周囲に、カバー部材を着脱可能に取り付けたレンズ鏡筒において、
前記カバー部材の筒形状に形成された嵌合部から径方向内側に絞り込れた内絞り部を、前記筒部材の一端側の外周面上に形成した抜け止め構造に、はめ付ける取り付け構造を構成し、
前記筒部材の抜け止め構造を、
前記筒部材の一端側の外周面上に単数又は複数箇所に、部分的に設けられた突条の突条嵌合部と、
前記突条嵌合部に対して前記筒部材の他端側に、前記突条嵌合部と平行に設けられた突条の爪部と、を有し、
前記カバー部材の前記嵌合部の内周面が突条嵌合部に支持され、内絞り部の内周面が爪部に係止され、内絞り部の自由端部が前記爪部の他端側の逃がし用凹部内に入り込んだ係止状態で係止されていることを特徴とするレンズ鏡筒。
【請求項２】
前記筒部材にカム溝を形成したときに、一部が突出するよう変形する部分の付近に、前記突条嵌合部と、前記爪部とを配置し、
前記カバー部材を取り付けたときに、前記カバー部材が前記突条嵌合部及び前記爪部を径方向内側に付勢する付勢力によって、前記カム溝を形成したことにより一部が突出するよう変形することを抑制するように構成したことを特徴とする請求項１記載のレンズ鏡筒。
【請求項３】
筒部材の一端側の開口部の周囲に、カバー部材を着脱可能に取り付けたレンズ鏡筒において、
前記カバー部材の筒形状に形成された嵌合部から径方向内側に絞り込まれた内絞り部を、前記筒部材の一端側の外周面上に形成した抜け止め構造に、はめ付ける取り付け構造を構成し、
前記筒部材の抜け止め構造を、
前記筒部材の一端側の外周面上に、円周方向の全周に渡って、複数の突条を平行に設けた多重の嵌合リブと、
前記多重の嵌合リブに対して前記筒部材の他端側に、前記多重の嵌合リブと平行に円周方向の全周に渡って設けられた突条である爪部と、を有し、
前記カバー部材の前記嵌合部の内周面が多重の嵌合リブに支持され、内絞り部の内周面が爪部に係止され、内絞り部の自由端部が前記爪部より他端側の逃がし用凹部内に入り込んだ係止状態で係止されていることを特徴とするレンズ鏡筒。
【発明の詳細な説明】
【技術分野】
【０００１】
本発明は、各種カメラ及び撮像装置等の光学機器に用いられるレンズ鏡筒に関する。
【背景技術】
【０００２】
従来、銀塩フィルムを用いるフィルムカメラや撮像素子によって撮影することのできるデジタルカメラが広く用いられている。
【０００３】
また近年では、カメラの携帯性の向上等を目的に、カメラの小型化や焦点距離の変化率（ズーム倍率）を大きくする為の内部機構の技術開発が進み、様々な技術が提案されている。これと共に、カメラの分野では、市場における価格競争を勝ち抜くために高品位のカメラを安価に造り上げる技術が提案されている。
【０００４】
一般に、カメラには、撮影レンズの焦点距離が変更可能なズームカメラや焦点距離が固定されている単焦点カメラがある。これらのカメラには、カメラの非撮影時（カメラの電源ＯＦＦ時）に小型化し、撮影時（カメラの電源ＯＮ時）の焦点距離を変更可能とするため、撮影レンズの繰り出し及び繰り込みを可能に構成したレンズ鏡筒を用いたものがある。
【０００５】
さらに、カメラの分野では、手軽な携帯性を実現するために小型化が進められるのと同時に、ユーザーの購買意欲を掻き立てる高品位で且つローコストなカメラを実現できるような技術開発が進められている。
【０００６】
従来、このようなカメラ等の光学機器に用いられるレンズ鏡筒では、ユーザーに対して見栄えの良い化粧リングをレンズ鏡筒に対して着脱するものが提案されている（例えば、特許文献１参照）。
【０００７】
この従来のレンズ鏡筒では、化粧リングの内周面から径方向内側に突出させた複数の爪部を、円筒部材の抜け止め凹部に係着するように構成する。さらに、この従来のレンズ鏡筒では、抜け止め凹部に対して周方向に連続した浅溝状の逃げ溝を設ける。そして、化粧リングの取り外し時には、抜け止め凹部より浅い逃げ溝の案内によって、化粧リングの爪部と円筒部材の抜け止め凹部の係合が解除されるように構成されている。
【０００８】
また、このようなレンズ鏡筒では、ローコストを追求するために、鏡筒に対して化粧リングを接着剤によって接着し、余った接着材を拭き取る作業工程によって製造することが考えられる。さらに、このようなレンズ鏡筒では、化粧リングを接着するための複雑で手間の掛かる作業工程を避けるために、鏡筒の取り付け端部に対して、化粧リング側の取り付け口部を弾性変形させて結合させる構成が考えられる。また、このようなレンズ鏡筒では、品位を度外視して、化粧リング自体を廃止することが考えられる。
【先行技術文献】
【特許文献】
【０００９】
【特許文献１】特開平１１‐００６９４７号公報
【発明の概要】
【発明が解決しようとする課題】
【００１０】
しかしながら、従来のレンズ鏡筒では、化粧リングの内周面から径方向内側に複数の爪部を突出させる構成は、モールド成形で形成する部品であることが前提となる。このため、高品位に構成するために必須となる金属リングに対してリングの内周面から径方向内側に複数の爪部を突出させる構造をモールド成形で形成することができなかった。
【００１１】
また、金属リングでは、その内周面から径方向内側に突出させる複数の爪部を、ダイキャスト、或いは金属の削り加工によって作製可能である。しかし、ダイキャスト、或いは金属の削り加工で金属リングを製造する場合には、加工費用が高価となり、大量生産に適するものではない。このため、レンズ鏡筒では、その先端部に金属リングを装着した高品位でローコストな製品を提供することが困難であった。
【００１２】
また、レンズ鏡筒では、先端部に金属リングを装着すると、見栄えだけでなく鏡筒の耐衝撃に対しても有効である。例えば、レンズ鏡筒では、円筒部材の先端外周に金属のリングを被せると、落下などによる衝撃で円筒部材が瞬間的に大きく変形した時でもモールドの化粧リングに対して円筒部材を真円に保とうとする力が強くなり、優位である。このため、レンズ鏡筒では、機能的な見地からも金属リングを装着することが望まれている。
【００１３】
本発明の目的は、外観の品位が高く、耐衝撃性に優れた廉価なレンズ鏡筒を提供することにある。
【課題を解決するための手段】
【００１４】
上記目的を達成するために、請求項１記載のレンズ鏡筒は、筒部材の一端側の開口部の周囲に、カバー部材を着脱可能に取り付けたレンズ鏡筒において、前記カバー部材の筒形状に形成された嵌合部から径方向内側に絞り込れた内絞り部を、前記筒部材の一端側の外周面上に形成した抜け止め構造に、はめ付ける取り付け構造を構成し、前記筒部材の抜け止め構造を、前記筒部材の一端側の外周面上に単数又は複数箇所に、部分的に設けられた突条の突条嵌合部と、前記突条嵌合部に対して前記筒部材の他端側に、前記突条嵌合部と平行に設けられた突条の爪部と、を有し、前記カバー部材の前記嵌合部の内周面が突条嵌合部に支持され、内絞り部の内周面が爪部に係止され、内絞り部の自由端部が前記爪部の他端側の逃がし用凹部内に入り込んだ係止状態で係止されていることを特徴とする。
【００１５】
上記目的を達成するために、請求項３記載のレンズ鏡筒は、筒部材の一端側の開口部の周囲に、カバー部材を着脱可能に取り付けたレンズ鏡筒において、前記カバー部材の筒形状に形成された嵌合部から径方向内側に絞り込まれた内絞り部を、前記筒部材の一端側の外周面上に形成した抜け止め構造に、はめ付ける取り付け構造を構成し、前記筒部材の抜け止め構造を、前記筒部材の一端側の外周面上に、円周方向の全周に渡って、複数の突条を平行に設けた多重の嵌合リブと、前記多重の嵌合リブに対して前記筒部材の他端側に、前記多重の嵌合リブと平行に円周方向の全周に渡って設けられた突条である爪部と、を有し、前記カバー部材の前記嵌合部の内周面が多重の嵌合リブに支持され、内絞り部の内周面が爪部に係止され、内絞り部の自由端部が前記爪部より他端側の逃がし用凹部内に入り込んだ係止状態で係止されていることを特徴とする。
【発明の効果】
【００１６】
本発明により、廉価でありながら外観が高品位で、耐衝撃性に優れたレンズ鏡筒を提供することが可能となる。
【図面の簡単な説明】
【００１７】
【図１】本発明の第１実施の形態に係わるレンズ鏡筒を備えたカメラを示す全体概略斜視図である。
【図２】本第１実施の形態に係わるレンズ鏡筒を取り出して示す分解斜視図である。
【図３】本第１実施の形態に係わるレンズ鏡筒における第２金属リング部材と移動カム環とを取り出して示す分解斜視図である。
【図４】本第１実施の形態に係わる第２金属リング部材を取り付けた状態の移動カム環の縦断面図であり、（Ｂ）は、そのＸ部分の拡大断面図である。
【図５】本発明の第２実施の形態に係わるレンズ鏡筒における第２金属リング部材と移動カム環とを取り出して示す分解斜視図である。
【図６】（Ａ）は、本発明の第２実施の形態に係わる第２金属リング部材を取り付けた状態の移動カム環の縦断面図であり、（Ｂ）は、そのＸ部分の拡大断面図である。
【図７】本発明の第２実施の形態に係わる第２金属リング部材を、移動カム環に装着する動作を開始する際の状態を示す縦断面図である。
【発明を実施するための形態】
【００１８】
以下、本発明の第１実施の形態について、図１乃至図４を参照しながら説明する。
【００１９】
図１は、本発明の第１実施の形態に係わるレンズ鏡筒を備えたカメラを示す全体概略斜視図である。
【００２０】
図２は、本第１実施の形態に係わるレンズ鏡筒を取り出して示す分解斜視図である。
【００２１】
図３は、本第１実施の形態に係わるレンズ鏡筒における第２金属リング部材と移動カム環とを取り出して示す分解斜視図である。
【００２２】
図４（Ａ）は、本第１実施の形態に係わる第２金属リング部材を取り付けた状態の移動カム環の縦断面図であり、（Ｂ）は、そのＸ部分の拡大断面図である。
【００２３】
この図１で、１は、カメラ本体である。このカメラ本体１の前面には、撮影レンズの焦点距離が変更可能に構成したレンズ鏡筒２が装着されている。
【００２４】
このカメラ本体１のレンズ鏡筒２は、テレスコープする筒部材である１群鏡筒２１と、同じく筒部材である移動カム環２２の二段に構成されている。このテレスコープする筒部材である１群鏡筒２１の先端側には、その先端開口部周囲に外観の見栄えを良くするための円環状のカバー部材である第１金属リング部材２３が装着されている。また、移動カム環２２には、外観の見栄えを良くするための移動カム環２２が装着されている。
【００２５】
この１群鏡筒２１の前面には、カメラの電源をＯＮ・ＯＦＦするのに従って、撮影レンズの光路を開閉するレンズバリア装置３（図１には開状態で図示）が装着されている。
【００２６】
また、このカメラ本体１には、その上面に被写体に照明光を照射するストロボ装置を構成する発光窓部４が設けられ、その前面にファインダ窓５が設けられている。
【００２７】
さらに、カメラ本体１の上面には、撮影準備動作（焦点調節動作および測光動作）及び撮影動作（フィルムやＣＣＤ等の撮像素子への露光）を開始させるための２段押し操作式のレリーズボタン６が装着されている。
【００２８】
また、このレンズ鏡筒２は、図２の分解斜視図に示すように、１群鏡筒２１、２群鏡筒７、移動カム環２２、直進筒８、固定筒９、３群鏡筒１０及びベース部材１１を備える。
【００２９】
この１群鏡筒２１は、第１群撮影レンズを保持し、レンズバリア装置３を備える。この２群鏡筒７は、２群撮影レンズを保持し、防振レンズ機構とシャッター・絞り機構を備える。この移動カム環２２は、１群鏡筒２１及び２群鏡筒７を駆動するための駆動カムを内周部に備え、かつ図示しない鏡筒駆動モーターより動力が伝達されるギア部を有する。
【００３０】
また、直進筒８は、移動カム環２２に回転可能に保持され、１群鏡筒２１及び２群鏡筒７を直進規制する。固定筒９は、内周部に移動カム環２２を駆動するための駆動カムを備える。３群鏡筒１０は、第３群撮影レンズを保持する。ベース部材１１は、撮像素子を備える。
【００３１】
このレンズ鏡筒２で用いる第２金属リング部材２４は、金属製で環状の素材を、絞り加工して作製される。この第２金属リング部材２４は、図４に示すように、ストレートの円筒形状に形成された嵌合部２４ａと、この嵌合部２４ａの端口部から径方向内側に円錐台の斜面状に絞り込まれた内絞り部２４ｂとを備える。
【００３２】
この第２金属リング部材２４では、通常の絞り加工で、嵌合部２４ａのストレートの形状を形成する。このとき通常の絞り加工では、嵌合部２４ａにおけるストレートの形状の端口部の位置から延出した部分が径方向外側に若干反るのが普通である。そこで、この第２金属リング部材２４の加工では、絞りの技術を駆使して嵌合部２４ａの端口部の位置から延出した部分を内側に絞り込むことによって、内絞り部２４ｂを形成する。
【００３３】
移動カム環２２の外周面上で開口部の先端側（被写体側である筒部材の一端側）における単数又は複数箇所には、抜け止め構造として、円周方向の所定範囲に渡って部分的に、断面半円形状の突条を突設して突条嵌合部２２ａを構成する。
【００３４】
さらに、この移動カム環２２の抜け止め構造では、突条嵌合部２２ａと所定間隔を空けて平行に、かつ円周方向の同じ長さ範囲に、断面半円形状の突条である爪部２２ｂを突設する。
【００３５】
これにより、この移動カム環２２の抜け止め構造では、突条嵌合部２２ａと爪部２２ｂとの間に、一段低い外周面により形成された逃げ凹部である空間２２ｄが設定される。
【００３６】
また、この移動カム環２２の抜け止め構造では、爪部２２ｂより奥側（移動カム環２２の外周面上で開口部の先端側（被写体側と反対側である突条嵌合部２２ａの他端側）に、一段低い外周面により形成された逃がし用凹部２２hを設ける。
【００３７】
また、これら突条嵌合部２２ａと爪部２２ｂとの両端部に、それぞれ矩形台状の突台部２２iを設ける。これら、突台部２２iには、移動カム環２２の開口の先端の外側角部に連続する部分を面取りしてガイド周縁部２２ｅが形成される。
【００３８】
次に、第２金属リング部材２４を移動カム環２２に着脱可能に装着する動作の順序について図４により説明する。
【００３９】
この第２金属リング部材２４を着脱可能に装着する動作では、第２金属リング部材２４を移動カム環２２に対して、図４（Ａ）に向かって右方向に押し込む。すると、第２金属リング部材２４の内絞り部２４ｂの先端（φＤ２）は、移動カム環２２の開口の先端の外側角部を面取りして形成されたガイド周縁部２２ｅに案内され、径方向外側に押し広げられながら突条嵌合部２２ａを通過する。そして、内絞り部２４ｂの先端は、突条嵌合部２２ａと爪部２２ｂとの間の空間２２ｄ内に落ち込む。さらに第２金属リング部材２４を押し込んでいくと、内絞り部２４ｂの先端は、爪部２２ｂを乗り越えて移動カム環２２に爪部２２ｂより奥側に形成された逃がし用凹部内へ落ち込む係止状態となる。
【００４０】
この係止状態では、内絞り部２４ｂの径方向外側への弾性変形が解放され、爪部２２ｂの最外径φＤ１と内絞り部２４ｂ先端部の最内径φＤ２との差が径方向の掛かり量となって、抜け止め状態となり、装着作業が完了する。ここで、この移動カム環２２の抜け止め構造では、爪部２２ｂの最外径φＤ１＞内絞り部２４ｂ先端部の最内径φＤ２の関係となるように構成する。
【００４１】
すなわち、この移動カム環２２の抜け止め構造では、筒部材２２にカバー部材２４をはめ付けたときに、カバー部材２４の嵌合部２４ａの内周面が突条嵌合部２２ａに支持されるようにする。さらに、この移動カム環２２の抜け止め構造では、内絞り部２４ｂの内周面が爪部２２ｂに係止され、内絞り部２４ｂの自由端部が逃がし用凹部内に入り込んだ係止状態で係止されるように構成する。
【００４２】
この係止状態では、光軸方向の装着の具合（弾性的に係止された状態）での係止の強さが、この差Ｄ１−Ｄ２で決まる。また径方向の装着具合は、移動カム環２２と第２金属リング部材２４との、それぞれの突条嵌合部２２ａ、２４ａの形状及び寸法によって決定される。
【００４３】
次に、移動カム環２２にモールド成形でカム溝を形成したときに、移動カム環２２が真円から若干変形して三角形状に変形することを抑制可能な構成について、図３により説明する。
【００４４】
この移動カム環２２では、その円周方向の均等に分割された３箇所に、図３に示すように突条嵌合部２２ａと爪部２２ｂとが形成されている。これら３箇所に配置された突条嵌合部２２ａと爪部２２ｂとの相隣接する間位置には、溝部２２ｃが配設されている。
【００４５】
この第２金属リング部材２４は、移動カム環２２に嵌め付けて装着するときに、第２金属リング部材２４の内絞り部２４ｂが、移動カム環２２の３箇所に配置された突条嵌合部２２ａによって外側に押し広げられる。このときに、第２金属リング部材２４の内絞り部２４ｂは、３箇所に配置された突条嵌合部２２ａによって押し広げられる。これと共に、内絞り部２４ｂは、相隣接する突条嵌合部２２ａの間部分が、径方向内側に倒れ込むように弾性変形する。この内絞り部２４ｂの径方向内側に倒れ込んだ部分は、溝部２２ｃ内に収まるので、内絞り部２４ｂが突条嵌合部２２ａによって外側に押し広げられる動作が妨げられることはない。
【００４６】
よって、第２金属リング部材２４の内絞り部２４ｂは、突条嵌合部２２ａ及び爪部２２ｂを乗り越えて移動カム環２２の逃がし用凹部２２h内と溝部２２ｃ内とへ収まり、係合状態となる。
【００４７】
この第２金属リング部材２４が移動カム環２２に取り付けられた係合状態では、所定３箇所に配置された爪部２２ｂ及び突条嵌合部２２ａで第２金属リング部材２４を外側に押し広げるときの反力が、移動カム環２２に働く。すなわち、移動カム環２２には、爪部２２ｂ及び突条嵌合部２２ａが設けられた３箇所の部分に、移動カム環２２の中心線方向に向けた付勢力が働くことになる。
【００４８】
このレンズ鏡筒２では、移動カム環２２にカム溝をモールド成形したときに生じる三角形状の変形を、第２金属リング部材２４が移動カム環２２の爪部２２ｂ及び突条嵌合部２２ａがある３箇所の部分を押圧する作用で抑制する。
【００４９】
図３に示すように、移動カム環２２は、内周に１２０°等分のカム溝をモールド成形で形成したときに、カム溝とその溝が切られるベース部の偏肉によって、円形であるべきものが若干変形して三角形のような形状になることがある。この成形による三角形の変形形状は、カム溝の位相によって決定される。そこで、この移動カム環２２は、変形形状の三角形の頂点となって突出する変形部分の付近に爪部２２ｂ及び突条嵌合部２２ａを配置する。このように構成した場合には、移動カム環２２に第２金属リング部材２４を装着すると、その三角形状の変形を円に戻そうとする向きに力が働き、変形を抑えることができる。この場合には、爪部２２ｂの最外径φＤ１と第２金属リング部材２４の内絞り部２４ｂの設定を軽圧入にして、第２金属リング部材２４が移動カム環２２を径方向内側に押圧する適度な力が加わるようにすることが望ましい。
【００５０】
なお、本第１実施の形態では、突条嵌合部２２ａと爪部２２ｂとを均等に３箇所設けた構成について説明した。しかし、本第１実施の形態に係わるレンズ鏡筒２では、突条嵌合部２２ａと爪部２２ｂとが、必ずしも均等に３箇所必要というわけではなく、不均等に複数箇所設けても構わない。但し、その場合においても中間に溝部２２ｃを設けることが望ましい。また、本第１実施の形態では、移動カム環２２と第２金属リング部材２４との場合について説明したが、１群鏡筒２１と第１金属リング部材２３とについても同様に構成する。
【００５１】
次に、本発明の第２実施の形態について、図５乃至図７を参照しながら説明する。
【００５２】
図５は、本発明の第２実施の形態に係わるレンズ鏡筒における第２金属リング部材と移動カム環とを取り出して示す分解斜視図である。
【００５３】
図６（Ａ）は、本発明の第２実施の形態に係わる第２金属リング部材を取り付けた状態の移動カム環の縦断面図であり、（Ｂ）は、そのＸ部分の拡大断面図である。
【００５４】
図７は、本発明の第２実施の形態に係わる第２金属リング部材を、移動カム環に装着する動作を開始する際の状態を示す縦断面図である。
【００５５】
本第２実施の形態に係わるレンズ鏡筒２では、移動カム環２２に第２金属リング部材２４を取り付ける構造において、移動カム環２２の円周方向全周に渡って抜け止めを設ける。このように構成した場合には、第２金属リング部材２４はね第２金属リング部材２４に対して第２金属リング部材２４の径方向の掛かり具合を安定させることができる。
【００５６】
この移動カム環２２の円周方向全周に渡って設けられる抜け止めは、２重の嵌合リブ２２ｇと、爪部２２ｂとで構成する。
【００５７】
この多重の嵌合リブ２２ｇは、移動カム環２２の外周面上で開口周縁部の先端側（被写体側）に、円周方向に一周（全周）に渡って、複数本（ここでは２本）のリング状の突条を平行に突設して構成する。
【００５８】
さらに、移動カム環２２の開口周縁部の外周面上には、２重の嵌合リブ２２ｇの奥側（２重の嵌合リブ２２ｇより被写体と反対側）に、爪部２２ｂを配設する。この爪部２２ｂは、移動カム環２２の外周面上に円周方向に一周（全周）に渡って、１本のリング状の突条を２重の嵌合リブ２２ｇと平行に突設して構成する。
【００５９】
さらに、移動カム環２２に設ける抜け止めは、爪部２２ｂの最外径φＤ１と内絞り部２４ｂ先端部の最内径φＤ２との高さの差で光軸方向の抜け止めをすると共に、嵌合リブ２２ｇの最外径で第２金属リング部材２４と嵌合させる。
【００６０】
また、この移動カム環２２に設ける抜け止めでは、図４に示すように、前述した図４に示した突条嵌合部２２ａを複数に刻んで、２重の嵌合リブ２２ｇと、その間に逃がし用凹部２２ｆとを設ける。さらに、この移動カム環２２に設ける抜け止めでは、嵌合リブ２２ｇと爪部２２ｂとの間に一段低い外周面により形成された逃げ凹部である空間２２ｄを設ける。
【００６１】
また、この移動カム環２２の抜け止め構造では、爪部２２ｂより奥側（移動カム環２２の外周面上で開口部の先端側（被写体側）と反対側）に、一段低い外周面により形成された逃がし用凹部２２hを設ける。
【００６２】
この移動カム環２２に設ける抜け止めでは、嵌合リブ２２ｇと爪部２２ｂとが全周に形成されているので、移動カム環２２に第２金属リング部材２４を組み込む作業を次のような手順で行う。
【００６３】
この移動カム環２２に設ける抜け止めでは、第２金属リング部材２４の内絞り部２４ｂの最内径φＤ２と嵌合リブ２２ｇの最外径φＤ３の径差Ｄ３−Ｄ２があるので、それを乗り越えさせて第２金属リング部材２４を組み込む必要がある。ここで、第２金属リング部材２４を実際に組み込む作業では、嵌合リブ２２ｇが円周方向に一周あるため、光軸と平行に装着しようとすると第２金属リング部材２４の全周を径方向外側に押し広げることになって嵌り切らない。
【００６４】
そこで、金属リング部材２４を組み込む作業では、図７に示すように、光軸と平行ではなく金属リングを少し傾けて開口の周方向の一部が先に嵌合リブ２２ｇを超えてから徐々に他の部分が嵌合リブ２２ｇを超えるように嵌め込んでいく。この操作では、第２金属リング部材２４の内絞り部２４ｂの先端が一つ目の逃がし用凹部２２ｆに一周全てが入って内絞り部２４ｂの変形が開放されるようにする。そして、これと同様の操作を繰り返すことにより、２重の嵌合リブ２２ｇを一つずつ乗り越えて、第２金属リング部材２４の内絞り部２４ｂの自由端部が逃がし用凹部２２h内に収まって係合する図６の係合状態まで装着する。
【００６５】
また、上述のような操作で金属リング部材２４を移動カム環２２に組み込む作業を可能とするためには、２重の嵌合リブ２２ｇを光軸方向に対して所要の短い間隔で配置して構成することが必要となる。
【００６６】
例えば、最も被写体側に位置する一つ目の嵌合リブ２２ｇが移動カム環２２の先端から遠い位置に配置されていると、第２金属リング部材２４を移動カム環２２に組み込むことができなくなる。これは、第２金属リング部材２４を組み込むため、第２金属リング部材２４を傾けた時に、嵌合リブ２２ｇを乗り越える径がφＤ２の内絞り部２４ｂの先端の変形分を含めたとしても大きくなり過ぎて組み込むことができなくなるためである。
【００６７】
そこで、この移動カム環２２に設ける抜け止め構造では、一つ目の嵌合リブ２２ｇから先の部分を、内絞り部２４ｂの開口先端φＤ２の変形分を考慮した寸法でピッチが大きくならないよう嵌合リブ２２ｇを光軸方向に短い距離で配置する。このように、逃がし用凹部２２ｆを小刻みに構成した場合には、円周方向に一周形成された爪部２２ｂと嵌合リブ２２ｇがあっても第２金属リング部材２４を組み込むことが可能となり、より強固な結合が可能となる。
【００６８】
なお、本発明の第２実施の形態における以上説明した以外の構成、作用、効果は、前述した第１実施の形態と同様であるので、同一部材には同一符号を付すことにより、その詳細な説明を省略する。また、本発明は、上述した実施の形態に限定されるものではなく、本発明の要旨を逸脱しない範囲で、その他種々の構成を採り得ることは勿論である。
【符号の説明】
【００６９】
２      鏡筒
２１    １群鏡筒
２２    移動カム環
２３    第１金属リング部材
２４    第２金属リング部材
２２ｂ  爪部
２２ｇ  嵌合リブ
２２ｆ  溝部
２４ｂ  内絞り部
【図１】
2010191354.tif 000003
【図２】
2010191354.tif 000004
【図３】
2010191354.tif 000005
【図４】
2010191354.tif 000006
【図５】
2010191354.tif 000007
【図６】
2010191354.tif 000008
【図７】
2010191354.tif 000009